(57)【要約】【課題】短時間の高周波加熱で、皿上に溜まった脂等が過熱されることなく仕上がりの良い加熱調理ができる加熱調理器具を提供する。【解決手段】下面に高周波を吸収して発熱する高周波発熱体２１を有し、さらに、周縁部２５の上面にリング形状の第１溝部２２を有する受け皿２０と、受け皿２０の上面に着脱自在に載置される蓋体３０とを備え、第１溝部２２を、蓋体３０の周縁部３２および高周波発熱体２１の外周部よりも外側に配置している。【選択図】図２
2015114017.tif 000002
【特許請求の範囲】
【請求項１】
下面に高周波を吸収して発熱する高周波発熱体を有し、さらに、上面の周縁部に第１溝部を有する受け皿と、
前記受け皿の上面に着脱自在に載置される蓋体とを備え、
前記第１溝部を、前記蓋体の周縁部および前記高周波発熱体の外周部よりも外側に配置したことを特徴とする加熱調理器具。
【請求項２】
前記第１溝部は、リング状に形成され、
前記受け皿は、上面に放射状に設けられて前記第１溝部に連通する第２溝部を備えていることを特徴とする請求項１記載の加熱調理器具。
【請求項３】
前記受け皿の上面は、中央部を頂点として、前記第１溝部に向かうに連れて下方に傾斜していることを特徴とする請求項１又は２記載の加熱調理器具。
【請求項４】
前記蓋体は、内面に高周波を吸収して発熱する高周波発熱体を備えていることを特徴とする請求項１〜３の何れか１項に記載の加熱調理器具。
【請求項５】
前記受け皿は、高周波を透過する部材で形成され、
前記受け皿の高周波発熱体は、前記蓋体の高周波発熱体よりも昇温停止温度が低いことを特徴とする請求項４記載の加熱調理器具。
【請求項６】
被加熱物が出し入れ自在に収納される加熱室と、
高周波を発生し、当該高周波を前記加熱室に収納された被加熱物に放射して高周波加熱する高周波発生手段と、
前記加熱室内に出し入れ自在に設置され、内部に収納された被加熱物を加熱する加熱調理器具とを備え、
前記加熱調理器具として請求項１〜５の何れか１項に記載の加熱調理器具を用いたことを特徴とする高周波加熱調理器。
【請求項７】
前記加熱調理器具の温度を非接触で検出する非接触式温度検出手段、前記加熱調理器具の内部から発生する蒸気を検出する蒸気検出手段、及び前記加熱室内の温度を検出する温度検出手段の少なくとも何れか１つの状態検出手段を備え、
前記状態検出手段の検出に基づいて加熱制御することを特徴とする請求項６記載の高周波加熱調理器。
【請求項８】
前記高周波発生手段は、高周波を前記加熱室の底板の下方から当該加熱室内に向けて放射することを特徴とする請求項６又は７記載の高周波加熱調理器。
【発明の詳細な説明】
【技術分野】
【０００１】
本発明は、高周波で発熱して内部の被加熱物を加熱する加熱調理器具、及びこの加熱調理器具を備えた高周波加熱調理器に関するものである。
【背景技術】
【０００２】
従来、電子レンジ用の加熱調理器具は、被加熱物を載せる皿と、皿全体を覆う蓋体とで構成され、皿の上に被加熱物を載せて蓋体で覆い、高周波加熱することで被加熱物を加熱調理している。
また、従来の加熱調理器具として、高周波を吸収して発熱する発熱体を皿に設けたもの、あるいは皿と蓋体の双方に発熱体を設けた加熱調理器具がある。これらのものにおいては、高周波加熱によって発熱体の温度が例えば２５０℃位まで上昇するため、被加熱物に焦げ目を付けることができる（例えば、特許文献１参照）。
【先行技術文献】
【特許文献】
【０００３】
【特許文献１】特開平０１−２０４３８６号公報（第９−１０頁、図２）
【発明の概要】
【発明が解決しようとする課題】
【０００４】
しかしながら、前述した技術では、高周波加熱により被加熱物から出た脂等が皿上で過熱されてしまうことがあった。また、蓋体を有する加熱調理器具においては、被加熱物から出た蒸気が蓋体内で結露し、その結露水が再び被加熱物に付着してしまい、被加熱物がべちゃっとした仕上がりになってしまうという課題があった。
【０００５】
本発明は、前述のような課題を解決するためになされたもので、第１の目的は、受け皿上に溜まった脂等が過熱されて（発煙や発火して）しまうことを防ぐと共に、被加熱物を高周波加熱できる加熱調理器具及び高周波加熱調理器を得るものである。
第２の目的は、蓋体内に結露が発生しても、仕上がりの良い被加熱物を提供できる加熱調理器具及び高周波加熱調理器を得るものである。
【課題を解決するための手段】
【０００６】
本発明に係る加熱調理器具は、下面に高周波を吸収して発熱する高周波発熱体を有し、さらに、上面の周縁部に第１溝部を有する受け皿と、受け皿の上面に着脱自在に載置される蓋体とを備え、第１溝部を、蓋体の周縁部および高周波発熱体の外周部よりも外側に配置している。
【発明の効果】
【０００７】
本発明によれば、受け皿の周縁部の上面に設けられた第１溝部を、蓋体の周縁部および高周波発熱体の外周部よりも外側に配置している。この構成により、高周波発熱体で加熱された被加熱物から出た脂等が、高周波発熱体の外周部よりも外側に配置された第１溝部に溜まるので、高温の受け皿によって脂等が過熱されてしまうようなことが殆ど無くなり、安全に加熱調理することができる。
【図面の簡単な説明】
【０００８】
【図１】実施の形態に係る高周波加熱調理器の内部を示す正面断面図。
【図２】実施の形態に係る加熱調理器具を示す断面図。
【図３】図２の加熱調理器具の蓋体を取り外した状態を示す受け皿の平面図。
【図４】図１において高周波加熱調理器で加熱調理器具を発熱させているときの受け皿及び蓋体の各高周波発熱体の温度変化と加熱調理器具内の食品の温度変化を示す図。
【発明を実施するための形態】
【０００９】
図１は実施の形態に係る高周波加熱調理器の内部を示す正面断面図である。
実施の形態に係る高周波加熱調理器１００は、図１に示すように、内部の左側に加熱室１が設けられ、加熱室１の右側に電源／制御基板３、マグネトロン４などが配置されている。
【００１０】
加熱室１の前面には、被加熱物である食品、後述する加熱調理器具２００の出し入れが自在の開口部が設けられている。この開口部は、一部に窓ガラスを有する扉によって開閉されるようになっている。加熱室１の左右の側壁には、食品などを載せる四辺形形状の皿を支持する皿保持部２が設けられている。
【００１１】
また、加熱室１の例えば右側の側壁には、加熱室１内の食品、又は加熱室１内に設置された加熱調理器具２００から発する赤外線を受光し電気信号に変換する赤外線センサー１１（非接触式温度検出手段）と、加熱室１内の温度に応じて電気信号に変換するサーミスタ１２（温度検出手段）とが設置されている。なお、サーミスタ１２を、加熱室１の側壁上部に設置しているが、これに代えて、排気ダクト内に設置してもよい。
【００１２】
加熱室１の天板の裏面には、フラットヒーターからなる上ヒーター９が設置され、この上ヒーター９の上方には、断熱材１０が設けられている。加熱室１の底板の下方には、シーズヒーターからなる下ヒーター８が設置されている。上ヒーター９と下ヒーター８とにより、加熱室１内を高温にし、食品を加熱することができる。また、加熱室１の底板の下方には、アンテナモーター６、アンテナモーター６の駆動により回転するアンテナ７、導波管５などが配置されている。
【００１３】
電源／制御基板３は、商用電源の電圧を直流電圧に変換して昇圧し、昇圧した直流電圧を高周波電圧に変換してマグネトロン４に供給する。マグネトロン４は、高周波電圧の入力に基づいて高周波を発振する。アンテナ７は、前述のようにアンテナモーター６の駆動により回転しながら高周波を加熱室１内に放射し、加熱室１内に設置された食品を高周波加熱し、あるいは加熱調理器具２００を高周波で発熱させる。なお、電源／制御基板３、マグネトロン４、導波管５及びアンテナ７により高周波発生手段が構成されている。
【００１４】
また、前述の電源／制御基板３は、加熱開始の指示により、マグネトロン４に高周波電圧を供給した際に、赤外線センサー１１からの電気信号に基づいて食品又は加熱調理器具２００の表面温度を算出し、サーミスタ１２からの電気信号に基づいて加熱室１内の温度を算出して、温度の高い方を選択する。例えば、赤外線センサー１１で検出された表面温度の方が高いときには、電源／制御基板３は、その表面温度が調理メニューに応じて設定された設定温度に達したかどうかを判定し、赤外線センサー１１により検出された表面温度が設定温度に達したときには、食品又は加熱調理器具２００内の食品における残り加熱時間を算出する。そして、電源／制御基板３は、算出した残り加熱時間が経過したときに、マグネトロン４への高周波電圧の供給を遮断し、アンテナモーター６の駆動を停止する。
【００１５】
なお、サーミスタ１２で加熱室１内の温度を検出するようにしたが、そのサーミスタ１２で加熱室１内の温度を検出し、検出した温度変化から加熱室１内に発生する食品からの蒸気を検出するようにしてもよい。食品又は加熱調理器具２００を高周波加熱中に、加熱室１内の温度が低下したときに、食品から蒸気が発生していると見なして加熱を終了する。この場合、加熱調理器具２００の蓋体３０には、蒸気を抜くための穴を設ける必要がある。
また、本実施の形態では、赤外線センサー１１とサーミスタ１２を用いたが、赤外線センサー１１のみを加熱制御に用いるようにしてもよい。
【００１６】
次に、加熱室１内に設置される加熱調理器具２００の構成について、図２及び図３を用いて説明する。
図２は実施の形態に係る加熱調理器具を示す断面図、図３は図２の加熱調理器具の蓋体を取り外した状態を示す受け皿の平面図である。
加熱調理器具２００は、上方から見て円形状に形成された受け皿２０と、側方から見て外形が半球面状に形成され、受け皿２０の上面に着脱自在に載置される蓋体３０とで構成されている。
【００１７】
受け皿２０は、下面に高周波を吸収して発熱する高周波発熱体２１（以下、「皿発熱体２１」という）を有し、周縁部２５の上面にはリング状に形成された第１溝部２２が設けられている。この第１溝部２２は、蓋体３０の周縁部３２および皿発熱体２１の外周部よりも外側に位置している。受け皿２０の上面は、中央部を頂点として、第１溝部２２に向かうに連れて下方に傾斜している。
【００１８】
また、受け皿２０の上面には、放射状に配置されて第１溝部２２にそれぞれ連通する複数の第２溝部２３が設けられている。また、受け皿２０の上面には、第１溝部２２よりも内側で、蓋体３０の周縁部３２よりも外側の位置に周方向に例えば４つの突起部２４が配置されている。突起部２４は、蓋体３０を受け皿２０に載せるときの位置決め用である。この突起部２４により、蓋体３０を受け皿２０上に容易に、かつ確実に載せることができる。
【００１９】
受け皿２０は、例えば、高周波を透過するセラミックにより形成されている。皿発熱体２１は、高周波（例えば２．４５ＧＨｚ）を吸収して発熱する例えばＭｇ、Ｃｕ、Ｚｎ等で構成される磁性材によって形成されている。
【００２０】
蓋体３０は、上部に取っ手３３が取り付けられており、内面に高周波発熱体３１（以下、「蓋発熱体３１」という）が設けられている。この蓋発熱体３１は、前記と同様に、高周波を吸収して発熱するＭｇ、Ｃｕ、Ｚｎ等で構成される磁性材によって形成されている。
【００２１】
皿発熱体２１と蓋発熱体３１は、前述したＭｇ、Ｃｕ、Ｚｎ等の成分調整によって、異なる昇温停止温度が設定されている。例えば、皿発熱体２１の昇温停止温度は１８０℃程度で、蓋発熱体３１の昇温停止温度は２２０℃に設定されている。１８０℃は、一般的に食品の皿発熱体２１と接触する面に焦げ目を付けることができる温度である。皿発熱体２１と蓋発熱体３１は、高周波によりそれぞれ昇温停止温度に達すると、材質が磁性材から非磁性材に変化し、高周波を透過させる。
【００２２】
前記のように構成された加熱調理器具２００を高周波加熱調理器１００の高周波で発熱させるときの作用について、図１及び図４を用いて説明する。
図４は図１において高周波加熱調理器で加熱調理器具を発熱させているときの受け皿及び蓋体の各高周波発熱体の温度変化と加熱調理器具内の食品の温度変化を示す図である。
【００２３】
受け皿２０に例えば肉等の食品を載せ、その食品の載った受け皿２０を覆うように蓋体３０を載せて、高周波加熱調理器１００の加熱室１内に設置し、そして、扉を閉めた後に高周波加熱の指示を操作部の操作で行うと、電源／制御基板３が商用電源から高周波電圧を生成してマグネトロン４に供給する。マグネトロン４は、高周波電圧の入力に基づいて高周波を発振し、導波管５を介して、アンテナモーター６で回転しているアンテナ７に供給する。アンテナ７は回転しながら、高周波を加熱室１の底板の下方から加熱室１内に放射する。
【００２４】
アンテナ７から放射される高周波のうち、殆どの高周波は、皿発熱体２１に吸収され、残りの高周波は、加熱室１の側壁（扉も含む）を反射して、蓋発熱体３１と食品に吸収される。この時、皿発熱体２１は、高周波の吸収量に応じて発熱し、受け皿２０上の食品を下から加熱していく。また、蓋発熱体３１は、高周波の吸収量に応じて発熱し、受け皿２０上の食品を上方から加熱する。この場合、図４に示すように、皿発熱体２１は、高周波の吸収量が多いために、蓋発熱体３１と比べて、温度（実線）の上昇率が速くなり、一方、食品の温度（一点鎖線）は、蓋発熱体３１の温度（破線）よりも緩く上昇していく。
【００２５】
そして、皿発熱体２１の温度が昇温停止温度（１８０℃）に達すると、その皿発熱体２１は、磁性材から非磁性材に変化して、アンテナ７からの高周波を透過させる。この時、食品は、皿発熱体２１を透過する高周波により発熱するため、食品の温度が上がっていく。一方、皿発熱体２１は、高周波の透過により、温度が昇温停止温度よりも低くなると、その皿発熱体２１は、非磁性材から磁性材に戻り、高周波を吸収して発熱する。つまり、皿発熱体２１は、昇温停止温度を基準に、磁性材から非磁性材に変化し、逆に、非磁性材から磁性材に戻り、これを繰り返し行いながら食品を間欠的に加熱する。
【００２６】
一方、蓋発熱体３１は、加熱室１の側壁を反射する高周波と、皿発熱体２１を間欠的に透過する高周波とから、温度の上昇率が徐々に速くなる。そして、蓋発熱体３１の温度が昇温停止温度（２２０℃）に達すると、その蓋発熱体３１は、皿発熱体２１と同様に、磁性材から非磁性材に変化して高周波を透過させ、高周波の透過により、温度が昇温停止温度よりも低くなると、非磁性材から磁性材に戻って、食品を間欠的に加熱する。
【００２７】
食品は、蓋発熱体３１が昇温停止温度（２２０℃）で発熱すると、昇温停止温度（１８０℃）で発熱している皿発熱体２１と蓋発熱体３１とで加熱され、略一定の温度となる（図４参照）。この加熱により、食品から脂等が出てきた場合には、その脂は、受け皿２０の上面を第１溝部２２に向かって流れると共に、複数の第２溝部２３を通って第１溝部２２に向かって流れる。
【００２８】
以上のように実施の形態によれば、受け皿２０の周縁部２５の上面に設けられたリング形状の第１溝部２２を、蓋体３０の周縁部３２および皿発熱体２１の外周部よりも外側に配置している。また、受け皿２０の上面が、中央部を頂点として、第１溝部２２に向かうに連れて下方に傾斜し、その上面に、放射状に配置されて第１溝部２２にそれぞれ連通する複数の第２溝部２３を設けている。
この構成により、皿発熱体２１と蓋発熱体３１とで加熱された食品から出た脂等が、複数の第２溝部２３を通って、皿発熱体２１の外周部よりも外側に配置された第１溝部２２に溜まる。これにより、高温の受け皿２０によって脂等が過熱されてしまうようなことが殆ど無くなり、安全に加熱調理することができる。なお、第１溝部２２に溜まった脂等の温度を赤外線センサー１１で検知できるようにすることで、万が一、第１溝部２２に溜まった脂等が過熱され温度が異常上昇した場合に、過熱を停止させることができ、より一層安全性を向上させることができる。
【００２９】
また、蓋体３０の内面に蓋発熱体３１を設けているので、食品から蒸気が発生して蓋体３０内に結露が付着しても、蓋発熱体３１によって蒸発する。さらに、複数の第２溝部２３を通って第１溝部２２に溜まった温水が蒸発しても、第１溝部２２を、蓋体３０の周縁部３２よりも外側に配置しているので、蓋体３０内に結露が付着するようなことが殆ど無く、食品の仕上がりを向上させることができる。
【００３０】
また、蓋体３０に昇温停止する蓋発熱体３１を用いているので、蓋体３０の取っ手３３の異常温度上昇を抑えることができ、火傷を防止できる。
【００３１】
なお、実施の形態では、蓋体３０の内面に蓋発熱体３１を設けたが、その蓋発熱体３１が無くてもよい。このような加熱調理器具２００であっても、皿発熱体２１で加熱された食品から出た脂等が、複数の第２溝部２３を通って、皿発熱体２１の外周部よりも外側に配置された第１溝部２２に溜まる。これにより、高温の受け皿２０によって脂等が過熱されてしまうようなことが殆ど無くなり、安全に加熱調理することができる。
【００３２】
また、第１溝部２２を、蓋体３０の周縁部３２よりも外側に配置しているので、食品から蒸気が発生して蓋体３０内に結露が付着しても、その結露水が蓋体３０に沿って下方に流れ、複数の第２溝部２３を通って、第１溝部２２に溜まる。このため、蓋体３０内の水分が減少し、食品の仕上がりを向上させることができる。
【符号の説明】
【００３３】
１  加熱室、２  皿保持部、３  電源／制御基板、４  マグネトロン、５  導波管、６  アンテナモーター、７  アンテナ、８  下ヒーター、９  上ヒーター、１０  断熱材、１１  赤外線センサー、１２  サーミスタ、２０  受け皿、２１  皿発熱体（高周波発熱体）、２２  第１溝部、２３  第２溝部、２４  突起部、２５  周縁部、３０  蓋体、３１  蓋発熱体（高周波発熱体）、３２  周縁部、３３  取っ手、１００  高周波加熱調理器、２００  加熱調理器具。
【図１】
2015114017.tif 000003
【図２】
2015114017.tif 000004
【図３】
2015114017.tif 000005
【図４】
2015114017.tif 000006